(57)【要約】【課題】  より容易で簡単に画像読取部を取り付けて固定する。【解決手段】  突出部２２０の挿込部２４８が第一支柱５００の上部の開口５０６Ａから入る。幅広部２５０は、開口５０６Ａより大きい（太い）ので、幅広部２５０は第一支柱５００に入ることなく、開口５０６に引っかかって止まる。また、同時にスナップフィット２５２の先端部のフック部２５２Ａが係合孔５６０Ａに係合する。したがって、第一支柱５００から突出部２２０は抜けでることなく、固定される。更に、ブロワーコネクタ（オス）８００のピン８００，８０２が、ブロワーコネクタ（メス）８５０のピン穴８０１，８０３に挿入されて嵌まり、画像形成部１００と画像読取部２００とを電気的に接続する。したがって、突出部２２０を開口５０６Ａから挿入するだけで、画像形成部が取り付けられて固定されるとともに、電気的にも接続される。【選択図】        図２０
2006229346.tif 000002
【特許請求の範囲】
【請求項１】
画像読取部を支持する支柱部によって、前記画像読取部を画像形成部の上面に対して間隔を持って配置させると共に、該画像読取部を片持状に配置させた画像形成装置であって、
前記画像読取部から垂下した凸部と、
前記支柱部に設けられ、前記凸部が挿入する挿入部と、
前記挿入部から前記凸部の抜け出しを防止する抜出防止手段と、
前記凸部に設けられた第一接続部と、
前記支柱部に設けられた第二接続部と、
を備え、
前記凸部を前記挿入部に挿入すると、前記画像形成部と前記画像読取部とが組み付けられるとともに、前記第一接続部と前記第二接続部とが接続され、該画像形成部と該画像読取部とが電気的に接続することを特徴とする画像形成装置。
【請求項２】
前記第一接続部と前記第二接続部とは、複数の接点で電気的に接続し、
複数の前記接点のうち、グランドに繋がる接点が接続した後、他の接点が接続することを特徴とする請求項１に記載の画像形成装置。
【請求項３】
前記第一接続部及び前記第二接続部の一方にピンが設けられ、他方に前記ピンが挿入するピン穴が設けられ、
前記ピンを前記ピン穴に挿入する挿入方向と、前記凸部を前記挿入部に挿入する挿入方向と、が同一方向であることを特徴とする請求項１、又は請求項２に記載の画像形成装置。
【請求項４】
挿入方向に最も長い前記ピンが、グランドに繋がっていることを特徴とする請求項３に記載の画像形成装置。
【請求項５】
前記第一接続部は前記凸部の内部に設けられ、前記第二接続部は前記支柱部の内部に設けられていることを特徴とする請求項１から請求項４のいずれか１項に記載の画像形成装置。
【請求項６】
前記画像読取部と前記凸部とは、ヒンジによって連結され、該画像読取部は回動して前記画像形成部の上方から退避することを特徴とする請求項１から請求項５のいずれか１項に記載の画像形成装置。
【請求項７】
前記抜出防止手段は、前記凸部が前記挿入部に挿入されると抜け出しを防止するワンタッチ接続機構であることを特徴とする請求項１から請求項６のいずれか１項に記載の画像形成装置。
【請求項８】
ワンタッチ接続機構は、スナップフィット機構であることを特徴とする請求項７に記載の画像形成装置。
【請求項９】
前記支柱部は、
前記画像形成部の筐体の側面に固定され、前記画像読取部を支持する第一支持部と
前記第一支持部から前記片持状に支持された前記画像読取部と同方向に延びる第二支持部と、
を備え、
前記筐体の前記側面には、前記第二支持部を固定する受部が設けられていることを特徴とする請求項１から請求項８のいずれか１項に記載の画像形成装置。
【請求項１０】
前記受部は、前記筐体の前記側面に固定され、該側面から立設する枠体であり、
前記第二支持部は、前記枠体に固定されることを特徴とする請求項９に記載の画像形成装置。
【発明の詳細な説明】
【技術分野】
【０００１】
本発明は、画像形成部の上面に間隔を持って、画像読取部が配置された画像形成装置に関する。
【背景技術】
【０００２】
装置本体の上に開閉する原稿送り装置を備える画像形成装置がある。このような画像形成装置は、装置本体と原稿送り装置との対向部分間にフレキシブルケーブルを挿通させ、装置本体と原稿送り装置とを電気的に接続している。フレキシブルケーブルは、ＰＶＣ等からなる弾性変形するケーブル保護チューブで保護されている。また、このケーブル保護チューブは、原稿送り装置の上下方向のスライドを許容し、装置本体のみに固定されている。
【０００３】
そして、原稿送り装置内部のケーブル保護チューブから突出したフレキシブルケーブルに、原稿送り装置の開閉のためのたるみ部を設けることで、たるみ部が露出しない構成となる。よって、外観が良好となる。更に、原稿送り装置の開閉によって、フレキシブルケーブルが座屈し破損することも防止される。（例えば、特許文献１参照）。
【特許文献１】特許第３３９４８２号
【発明の開示】
【発明が解決しようとする課題】
【０００４】
しかしながら、装置本体への原稿送り装置の取り付けは、機械的な取付け作業とフレキシブルケーブルの接続作業との両方を別々に行う必要があるので、作業効率が悪かった。
【０００５】
また、画像形成部の上面に間隔を持って、画像読取部が配置された画像形成装置では、原稿送り装置と比較し画像読取部は、例えば、プラテンガラス等からなる原稿台を備えているので重い。このため、画像読取部を組み付けて固定する作業は、より容易で簡単な組み付け作業であることが求められる。
【０００６】
本発明は、上記問題を解決すべく成されたもので、より容易で簡単に画像読取部を取り付けて固定することを目的とする。
【課題を解決するための手段】
【０００７】
請求項１に記載の画像形成装置は、画像読取部を支持する支柱部によって、前記画像読取部を画像形成部の上面に対して間隔を持って配置させると共に、該画像読取部を片持状に配置させた画像形成装置であって、前記画像読取部から垂下した凸部と、前記支柱部に設けられ、前記凸部が挿入する挿入部と、前記挿入部から前記凸部の抜け出しを防止する抜出防止手段と、前記凸部に設けられた第一接続部と、前記支柱部に設けられた第二接続部と、を備え、前記凸部を前記挿入部に挿入すると、前記画像形成部と前記画像読取部とが組み付けられるとともに、前記第一接続部と前記第二接続部とが接続され、該画像形成部と該画像読取部とが電気的に接続することを特徴としている。
【０００８】
請求項１に記載の画像形成装置は、画読取成部から垂下した凸部を、支柱部に設けられた挿入部に挿入して取り付けると、同時に第一接続部と第二接続部とが接続され、画像形成部と画像読取部とが電気的にも接続する。なお、凸部は、抜出防止手段によって、挿入部からの抜け出しを防止される。
【０００９】
したがって、画読取成部の凸部を、支柱部の挿入部に挿入するだけで、画像読取部が取り付けられるともに、電気的にも接続される。よって、組み立てが容易で簡単である。
【００１０】
請求項２に記載の画像形成装置は、請求項１に記載の構成において、前記第一接続部と前記第二接続部とは、複数の接点で電気的に接続し、複数の前記接点のうち、グランドに繋がる接点が接続した後、他の接点が接続することを特徴としている。
【００１１】
請求項２に記載の画像形成装置は、第一接続部と第二接続部とは、複数の接点のうち、グランドに繋がる接点が接続した後に、他の接点が接続する。したがって、画像形成部と画像読取部との接続時の電気的なノイズに強い。
【００１２】
請求項３に記載の画像形成装置は、請求項１、又は請求項２に記載の構成において、前記第一接続部及び前記第二接続部の一方にピンが設けられ、他方に前記ピンが挿入するピン穴が設けられ、前記ピンを前記ピン穴に挿入する挿入方向と、前記凸部を前記挿入部に挿入する挿入方向と、が同一方向であることを特徴としている。
【００１３】
請求項３に記載の画像形成装置は、ピンをピン穴に挿入する挿入方向と、凸部を挿入部に挿入する挿入方向と、が同一方向である。よって、凸部を挿入部に挿入すると、ピンがピン穴に確実に挿入される。よって、電気的に確実に接続される。
【００１４】
請求項４に記載の画像形成装置は、請求項３に記載の構成において、挿入方向に最も長い前記ピンが、グランドに繋がっていることを特徴としている。
【００１５】
請求項４に記載の画像形成装置は、挿入方向に最も長いピンが、最初に接続される、すなわちグランドが最初に繋がるので、画像形成部と画像読取部との接続時の電気的なノイズに強い。
【００１６】
請求項５に記載の画像形成装置は、請求項１から請求項４のいずれか１項に記載の構成において、前記第一接続部は前記凸部の内部に設けられ、前記第二接続部は前記支柱部の内部に設けられていることを特徴としている。
【００１７】
請求項５に記載の画像形成装置は、第一接続部は凸部の内部に設けられ、第二接続部は支柱部の内部に設けられている。よって、例えば、第一接続部及び第二接続部と繋がっている電線の配線を、外部に露出させない構成とできるので、外観上、好適である。
【００１８】
請求項６に記載の画像形成装置は、請求項１から請求項５のいずれか１項に記載の構成において、前記画像読取部と前記凸部とは、ヒンジによって連結され、該画像読取部は回動し、前記画像読取部の上方から退避することを特徴としている。
【００１９】
請求項６に記載の画像形成装置は、画像読取部はヒンジによって、画像読取部は回動して、画像読取部が退避する。よって、退避した空間を、例えば、交換部品の交換などに利用することができる。
【００２０】
また、画像読取部と凸部とをヒンジで連結しているので、挿入時において、画像読取部の姿勢を任意にできる。よって、組み付け作業（挿入作業）が、やりやすい。
【００２１】
請求項７に記載の画像形成装置は、請求項１から請求項６のいずれか１項に構成において、前記抜出防止手段は、前記凸部が前記挿入部に挿入されると抜け出しを防止するワンタッチ接続機構であることを特徴としている。
【００２２】
請求項７に記載の画像形成装置は、凸部を挿入部に挿入すると、ワンタッチ接続機構で抜出しが防止される。よって、凸部を挿入部に挿入するだけで、画像読取部が取り付けられて固定されるので、組立てが容易で簡単である。
【００２３】
請求項８に記載の画像形成装置は、請求項７の構成において、前記ワンタッチ接続機構は、スナップフィット機構であることを特徴としている。
【００２４】
請求項８に記載の画像形成装置は、凸部を挿入部に挿入すると、スナップフィット機構で抜出しが防止される。よって、凸部を挿入部に挿入するだけで、画像読取部が取り付けられて固定されるので、組立てが容易で簡単である。
【００２５】
請求項９に記載の画像形成装置は、請求項１から請求項８のいずれか１項に記載の構成において、前記支柱部は、前記画像形成部の筐体の側面に固定され、前記画像読取部を支持する第一支持部と、前記第一支持部から前記片持状に支持された前記画像読取部と同方向に延びる第二支持部と、を備え、前記筐体の前記側面には、前記第二支持部を固定する受部が設けられていることを特徴としている。
【００２６】
請求項９に記載の画像形成装置は、画像形成部の筐体の側面に固定され画像読取部を支持する第一支持部と、第一支持部から片持状に支持された画像読取部と同方向に延びる第二支持部と、を支持部が備えている。また、筐体の側面には、第二支持部を固定する受部が設けられている。
【００２７】
したがって、筐体の側面は、第一支持体部と第二支持部とで構成する略三角形の領域に力がかかるので、筐体の側面が歪みにくい。また、支持体が倒れる方向に力が加わっても、第二支持部を受部が受けているので、筐体の側面が歪みにくい。つまり、画像形成部の筐体の側面に画像読取部を支持する支持体を固定しても、筐体の側面が歪みにくい。
【００２８】
請求項１０に記載の画像形成装置は、請求項９に記載の構成において、前記受部は、前記筐体の前記側面に固定され、該側面から立設枠体であり、前記第二支持部は、前記枠体に固定されることを特徴としている。
【００２９】
請求項９に記載の画像形成装置は、筐体の側面に固定され、側面から立設する枠体に第二支持部が固定される。よって、枠体も支持体と一体となって、画像読取部を支持する。
【００３０】
したがって、筐体の側面は、第一支持体部と第二支持部とで構成する略三角形の領域に加え、枠体の領域にも力がかかるので、より強固に固定されるとともに、筐体の側面がより歪みにくい。
【発明の効果】
【００３１】
以上説明したように本発明によれば、画読取成部の下面から垂下した凸部を、支持部の上部に設けられた挿入部に挿入することで、画像読取部が取り付けられるともに、電気的にも接続されるので、組み立てが容易で簡単である。
【発明を実施するための最良の形態】
【００３２】
図１、図３に示すように、本発明の実施形態の画像形成装置の一例としてのデジタル複写機１０は、画像形成部１００の上面である排紙トレイ４０に間隔を持って、片持状に画像読取部２００が配置されている構成となっている。画像読取部２００は、原稿を読み取り、デジタル画像データに変換する。画像形成部１００は、画像読取部２００で読み取られたデジタル画像データに基づいて、マゼンタ（Ｍ）、イエロー（Ｙ）、シアン（Ｃ）及びブラック（Ｋ）の各色トナーを用いて、公知の電子写真プロセスによって、記録紙Ｐにフルカラー画像を形成する。また、図３に示すユーザーが各種操作を行う操作パネル１１側が正面側であり、反対側が奥側である。
【００３３】
まず、画像読取部２００について説明する。
【００３４】
図２、図３に示すように、画像読取部２００は、平面視すると略四角形状をし、奥側の二つの隅部が、画像形成部１００の奥側隅部に立設する２本の第一支柱部３００と第二支柱部３０２の上に取り付けられている。
【００３５】
図２に示すように、画像読取部２００の上部の押さえ板２０２は回動して開く。押さえ板２０２の下には、上面に原稿を載置するプラテンガラス等からなる透明な原稿台２０８が備えられている。また、押さえ板２０２の上部には、自動原稿送り装置２０６が設けられている。原稿台２０８の下方には原稿台２０８に載置された原稿を読み取るＣＣＤ等からなる読取バー２１０を備えている。読取バー２１０は、正面側から奥側に細長い。また、走査駆動機構２１２によって、矢印Ｗ方向に走査し、原稿台２０８に載置された原稿の画像を読み取る。
【００３６】
また、図４と図５に示すように、画像読取部２００と突出部２２０、２２２とは、ヒンジ２２４、２２６（図１７参照）によって連結され、画像読取部２００は、略水平状態（図４）と開いた状態（図５）とに回動する。そして、図５に示すように、この画像読取部２００全体が回動して開くと、画像形成部１００の正面側の上方から退避し、正面側の上方に空間ができる。
【００３７】
図２に示すように、画像読取部２００の側端部に沿って、側端部が底辺となる逆三角形状の垂下部２０４、２０５が形成されている。
【００３８】
そして、図４に示すように、画像読取部２００が略水平状態（閉じた状態）では、画像読取部２００の隅部の下面２００Ａを第一支柱部３００の上面３００Ａが受け、更に、垂下部２０４の側面部２０４Ｂを第一支柱部３００の側面３００Ｂが受ける構成となっている。なお、図示は省略するが、反対側の側面も、同様に、画像読取部２００の隅部の下面２００Ａを第二支柱部３０２の上面３０２Ａが受け、更に、垂下部２０５の側面部２０５Ｂを第二支柱部３０２の側面３０２Ｂが受ける構成となっている。
【００３９】
つぎに、画像形成部１００の構成の概要と記録紙Ｐにカラー画像の形成を行うプロセスの概要とを説明する。
【００４０】
図１に示すように、画像形成部１００の略中心に、感光体ドラム１２が回転可能に配設されている。そして、画像形成部１００の正面側（右側）に、回転式現像装置５０が配設されている。
【００４１】
感光体ドラム１２は、矢印Ａ方向に回転する。また、感光体ドラム１２の表面は、感光体ドラム１２の下側に配置された帯電器１４によって、所定の電位に帯電された後、感光体ドラム１２の下方に配置された光走査装置１６から出射されたレーザビームＬによって露光が行われ、前述した画像読取部２００で読み取った原稿のデジタル画像データに基づいた潜像が形成される。
【００４２】
感光体ドラム１２の表面に形成された潜像は、回転式現像装置５０の周方向に沿って配置され、マゼンタ（Ｍ）、イエロー（Ｙ）、シアン（Ｃ）及びブラック（Ｋ）の各色の現像器５２Ｙ，５２Ｍ，５２Ｃ，５２Ｋによって現像され、所定の色のトナー像となる。なお、各現像機５２Ｙ，５２Ｍ，５２Ｃ，５２Ｋは、交換可能なトーカートリッジ５４Ｙ，５４Ｍ，５４Ｃ，５４Ｋを備えている。
【００４３】
感光体ドラム１２の表面に形成されたトナー像は、複数のロール１８と転写ロール３５とで張架され、矢印Ｃ方向に回転する中間転写ベルト３０に１次転写される。なお、１次転写されずに感光体ドラム１２の表面に残った未転写残留トナーは、感光体ドラムクリーニング装置２０で除去される。
【００４４】
なお、回転式現像装置５０は、回転軸Ｋを中心に矢印Ｂ方向に回転し、形成する画像の色に対応する色の現像器５２Ｙ，５２Ｍ，５２Ｃ、５２Ｋの現像ロール５６Ｙ，５６Ｍ，５６Ｙ，５６Ｋを、順次、現像位置Ｇに移動し、各色の現像を行う。
【００４５】
そして、帯電・露光・現像・１次転写・感光体ドラムクリーニングの各工程が、形成する画像の色に応じて、所定の回数だけ繰り返される。このようにして、中間転写ベルト３０には各色トナー像が多重転写され重ね合わされてフルカラー画像となる。
【００４６】
一方、画像形成部１００の下部には、記録紙Ｐが収容された給紙カセット２２が配置されている。
【００４７】
記録紙Ｐは、給紙ローラ２４によって送り出され、レジストローラ３３によって所定のタイミングで二次転写位置Ｔに送られ、中間転写ベルト３０のフルカラートナー像が、２次転写ロール３２と転写ロール３５とによって、一括して記録紙Ｐに２次転写される。なお、２次転写されずに残った中間転写ベルト３０の未転写残留トナーは、転写ベルトクリーニング装置３７で除去される。
【００４８】
フルカラートナー像が転写した記録紙Ｐは、奥側上部に配置された定着器３６に送られる。定着器３６は熱と圧力とで記録紙Ｐにフルカラートナー像を定着する。フルカラートナー像が定着した記録紙Ｐは、画像形成部１００の上部の排紙トレイ４０に排紙される。
【００４９】
さて、図５に示すように、画像読取部２００全体を回動させて、画像形成部１００の正面側上方から退避させると、画像形成部１００の正面側上方に空間ができる。そして、図１１に示すように、排紙トレイ４０を奥側端部の回動軸４２を中心に回動して開き、トナーカートリッジ５４が交換可能となる。なお、図１１では、トナーカートリッジ５４Ｙの交換を示しているが、その他のトナーカートリッジ５４Ｍ，５４Ｃ，５４Ｋを交換する場合は、回転式現像装置５０を回転させ、各現像器５２を交換可能な位置に移動させることで、交換できる。
【００５０】
つぎに、デジタル複写機１０の画像読取部２００の支持構造（フレーム構成）について説明する。また、図６，図７等は画像形成部１００の各種カバーを外した状態の図である。
【００５１】
なお、以降の説明で、ビス９９で固定する記述がある。この記述に対応する図において、図が煩雑で見にくくなるのを避けるため、ビス９９（及び対応するビス孔）の全ては図示せずに、代表的ないくつかのビス９９（及び対応するビス孔）のみを図示し、その他のビス９９（及び対応するビス孔）は省略して図示している。
【００５２】
図２、図７、図１５、図１６などに示すように、第一支柱部３００は、内部に第一支柱５００（図７参照）を備え、この第一支柱５００を第一支柱カバー３０１が覆っている。同様に第二支柱部３０２は、内部に第二支柱６００（図７参照）を備え、この第二支柱６００を第二支柱カバー３０３が覆っている。
【００５３】
図６と図７とに示すように、画像形成部１００の筐体４００は、板金からなる対向する側板４０２，４０４と、対向する側板４０２，４０４の間に架設された複数の橋架板４０６とで構成されている。
【００５４】
一方の側板４０２には、四つの側辺部４１２と底面部４１４とで構成された箱形状の箱部４１０が固定されている。なお、箱部４１０の底面部４１４と側板４０２とが重ね合さるようにビス９９で固定されている。よって、側辺部４１２は側板４０２から立設する構成となる。なお、この箱部４１０の中に電源回路基板（図示略）が取り付けられる。また、電源回路基板は、図４に示す側板４０２を覆う筐体カバー１０２から着脱可能な電源カバー１０４を取り外すことで、客先でも容易に交換可能となっている。
【００５５】
図６と図７とに示すように、箱部４１０の上方には、駆動モータ４２０が固定される。また、側板４０２の裏側（筐体４００の内部）には、駆動モータ４２０によって、駆動力が伝達される複数のギアからなるギア機構（図示略）が固定される。
【００５６】
更に、側板４０２には、複数の板金を折り曲げ接合して形成された第一支柱５００が固定されている。第一支柱５００は、第一支持部５０２とこの第一支持部５０２の下部から水平方向（画像読取部２００と同方向）に延びる第二支持部５０４とから構成され、全体として略Ｌ字状をしている。第一支持部５０２は、上部が開口した中空の四角柱形状の第一箱部５０６と、第一箱部５０６の下部に設けれられ第一箱部５０６より細い中空の四角柱形状の第二箱部５０８と、で構成されている。なお、第一箱部５０６、及び第二箱部５０８とも上下方向が長手方向（軸方向）である。第二支持部５０４は板状をし、第二箱部５０８の下部から水平方向に延びている。
【００５７】
第一支持部５０２は側板４０２にビス９９で固定されている。第二支持部５０４は、箱部４１０の上面となる側辺部４１２Ａに重ね合わせ、ビス９９で固定されている。また、第二支持部５０４は、駆動モータ４２０と干渉しないように避けて固定されている。
【００５８】
他方の側板４０４には、第二支柱６００がビス９９で固定されている。なお、側板４０４には、一方の側板４０２のように、箱部４１０や駆動モータ４２０が固定されていないので、第二支柱６００は側板４０４の下部まで真っ直ぐ延びている。
【００５９】
図９に示すように、第二支柱６００は、二枚の曲げ加工を施された板金６０２と板金６０４とを重ね合わせてビス９９で固定し、中空の略四角柱形状としている。また、上部は二つの部屋部６１０，６１２に分割されている。また、図９（Ｃ）に示すように、一方の板金６０４の端辺部６０４Ａを曲げ、他方の板金６０２とで中空の四角柱形状の角柱部６１４を形成している。なお、第二支柱６００、及び角柱部６１４とも上下方向が長手方向（軸方向）である。
【００６０】
図１０示すように、第一支柱５００の第一支持部５０２の第一箱部５０６の水平断面は、第二支柱６００の水平断面より大きい（太い）。なお、前後方向（図１０の上下方向）の幅は略同じであるが、左右方向が幅広となっている。なお、本実施形態では、第一支柱５００の第一支持部５０２の幅Ｗ１は、第二支柱６００の幅Ｗ２の約二倍となっている。
【００６１】
図１５と図１６とに示すように、筐体４００には、筐体カバー１０２を取り付けて覆い、第一支柱５００は第一支柱カバー３０１を取り付けて覆い、第二支柱６００は第二支柱カバー３０３を取り付けて覆う。なお、筐体カバー１０２は第一支柱５００が突出する領域１０２Ａが開けられている。図示は省略するが、第二支柱６００が突出する領域も開けられている。よって、筐体カバー１０２は、第一支柱５００と第二支柱６００とに干渉しない。
【００６２】
図１７に示すように、画像読取部２００の奥側の隅部から下方に向かって突出した二本の突出部２２０、２２２が設けられている。
【００６３】
図１９に示すように、突出部２２０は、第一支柱５００の上部の開口５０６Ａから挿入され、第一支柱５００の第一箱部５０６に嵌る挿込部２４８を備えている。また、この挿込部２４８の上部には、開口５０６Ａより大きい（太い）幅広部２５０を備えている。挿込部２４８の側面には、スナップフィット２５２が形成されている。また、スナップフィット２５２の先端部はフック部２５２Ａが形成されている。
【００６４】
また、第一支柱５００の側面には、スナップフィット２５２の先端部のフック部２５２Ａが係合する係合孔５６０が形成されている。
【００６５】
なお、同様に、突出部２２２も第二支柱６００の第一部屋部６１０に嵌り、同様のスナップフィット機構で抜出しが防止され、固定される構成となっている。
【００６６】
図２０に示すように、電線５３０が繋がるブロワーコネクタ（オス）８００が固定部８０１１によって、突出部２２０の挿込部２４８の内部に取り付けられている。ブロワコネクター（オス）８００には、グランドラインに繋がるピン８０２と、その他のライン（電源供給ライン、信号ラインなど）に繋がるピン８０４とを備えている。ピン８００、８０２とも下方に突出している。また、ピン８０２は、その他のピン８０４より長い。（下方に最も突出している）。
【００６７】
また、第一支柱５００の内部には、ブロワーコネクタ（オス）８００と接続され、画像形成部１００と画像読取部２００とを電気的に接続するブロワーコネクタ（メス）８５０が取り付けられている。ブロワーコネクタ（メス）８５０は、ブロワーコネクタ（オス）８００のピン８０２，８０４が嵌るピン穴８０１，８０３が上方に向かって開口している。
【００６８】
つぎに、画像読取部２００の取付けについて説明する。
【００６９】
図１７，図１８，図１９に示すように、第一支柱５００の上部の開口５０６Ａと第二支柱６００の上部の開口６１０Ａから、画像読取部２００の奥側の隅部から下方に向かって突出した二本の突出部２２０、２２２を挿入する。
【００７０】
図１９（Ａ）、図２０（Ａ）に示すように、突出部２２０の挿込部２４８が第一支柱５００の上部の開口５０６Ａから第一箱部５０６に入る。図１９（Ｂ）、図２０（Ｂ）に示すように、幅広部２５０は、開口５０６Ａより大きい（太い）ので、幅広部２５０は第一支柱５００の第一箱部５０６に入ることなく、開口５０６Ａに引っかかって止まる。また、同時にスナップフィット２５２の先端部のフック部２５２Ａが係合孔５６０に係合する。したがって、第一支柱５００から突出部２２０は抜けでることなく、固定される。なお、第二支柱６００と突出部２２２とも同様である。
【００７１】
更に、図２０（Ｂ）に示すように、ブロワーコネクタ（オス）８００のピン８０２，８０４が、ブロワーコネクタ（メス）８５０のピン穴８０１，８０３に挿入されて嵌まり、画像形成部１００と画像読取部２００とが電気的に接続される。なお、グランドラインに繋がるピン８０２は、その他のピン８０４より長い（下方に最も突出している）ので、ピン８０２が接続された後、その他のピン８０４が接続される。
【００７２】
画像読取部２００は、重い原稿台２０８，走査駆動機構２１２，自動原稿送り装置２０６（図２参照）等を支えるために強固に作られているうえに、更に、内部には二本の突出部２２０、２２２（図１７）の間（第一支柱５００と第二支柱６００との間）に、梁や板金などの強度部材を架橋している。よって、このように二つの隅部で第一支柱５００と第二支柱６００とで片持状に支持されても撓まない。
【００７３】
また、前述したように、ヒンジ２２４、２２６（図１７参照）によって、図８に示すように示すように、画像読取部２００が回動して開く。
【００７４】
なお、図１２に示すように、第一支柱５００の内部には、検知スイッチ５５０が取り付けられている。この検知スイッチ５５０は、画像形成部１００の奥側上部に配置された定着器３６（図１参照）の外側に設けられる開閉カバー５５２の開閉を検知する。具体的には、図１３に示すように、開閉カバー５５２に形成された突起部５５４が、開閉カバー５５２の開閉に伴い検知スイッチ５５０をオン・オフすることで検知する構成となっている。なお、開閉カバー５５２を開くと（図１３の状態）、電源がオフする。
【００７５】
つぎに、本実施形態の作用について説明する。
【００７６】
図１７から図２０で示すように、第一支柱５００の上部の開口５０６Ａと第二支柱６００の上部の開口６１０Ａから、画像読取部２００の奥側の隅部から下方に向かって突出した二本の突出部２２０、２２２を挿入するだけで、画像読取部２００が第一支柱部３００，第二支柱部３０２に取り付けられて固定される。しかも、ブロワーコネクタ（オス）８００とブロワーコネクタ（メス）８５０とが接続され、画像形成部１００と画像読取部２００とが電気的にも接続される。したがって、重い原稿台２０８，走査駆動機構２１２，自動原稿送り装置２０６（図２参照）等を備える画像読取部２００の組付けが、非常に容易で簡単に行える。
【００７７】
更に、画像読取部２００と突出部２２０，２２とをヒンジ２２４、２２６で連結しているので、挿入時において、画像読取部２００の姿勢を任意、例えば、画像読取部２００を立てた状態で、挿入できるので、組み付け作業（挿入作業）がやりやすい。
【００７８】
また、図２０に示すように、ブロワーコネクタ（オス）８００のピン８０２，８０４が、ブロワーコネクタ（メス）８５０のピン穴８０１，８０３に挿入される方向と、画像読取部２００の突出部２２０、２２２の挿入方向とは、同一である。よって、画像読取部２００の突出部２２０、２２２の挿入すると、ピン８０２，８０４がピン穴８０１，８０３に確実に挿入され、電気的に確実に接続される。また、例えば、接点が面と面との構成と比較し、接触不良が起きにくい。
【００７９】
更に、グランドラインに繋がるピン８０２は、その他のピン８０４より長い（下方に最も突出している）ので、ピン８０２が接続された後、その他のピン８０２が接続される。換言すると、グランドラインが繋がった後に、その他のライン（電源供給ライン、信号ライン等）が繋がる。よって、例えば、静電気などによる電気ノイズに対して強いので、画像読取部２００の取付けの際に、画像読取部２００が電気ノイズから守られる。
【００８０】
また、図２０に示すように、第一支柱５００の内部に電線５３０が通るとともに、図１２に示すように、第一支柱５００の内部に検知スイッチ５５０が取り付けられている。よって、検知スイッチ５５０の取り付けスペースや電線５３０の取りまわしスペースが別途必要ない。つまり、省スペース化されている。
【００８１】
更に、図８に示すように、電線５３０はヒンジ２２４の近傍を通って配線されているので、画像読取部２００が開いた状態（図８（Ｂ）と水平状態（図８（Ａ））とで、必要とする電線５３０の長さの差が少ない。したがって、画像読取部２００を回動しても、電線５３０がほとんど撓まない。このため、電線５３０が折れ曲がって（座屈して）破損しない。また、電線５３０の取り回し（配線）も容易である。更に、電線５３０が露出していなので、外観上も好ましい。
【００８２】
更に、図３、図４に示すように、画像形成部１００と画像読取部２００との間の側面部分は、垂下部２０４、２０５と第一支柱部３００、第二支柱部３０２以外は、あいている。（図３、図４の点線で囲むＲ部分）。したがって、デザイン的に優れた構成となっている。
【００８３】
また、図１４に模式的に示すように、第一支持部５０２が側板４０２に固定され、略水平方向に延びた第二支持部５０４が、側板４０２に固定されている箱部４１０に固定されている。よって、箱部４１０も第一支柱５００と一体となって、画像読取部２００を支持している。（箱部４１０も画像読取部２００を支持する構成部品となっている）。したがって、第一支持部５０２、及び第二支持部５０４で構成する三角形領域Ｓ１と箱部４１０の四角領域Ｓ２との広い領域Ｓで画像読取部２００を支えるので、第一支柱５００を側板４０２に固定しても、側板４０２に歪が生じにくい。このため、第一支柱５００を側板４０２に固定しても、画像形成部１００の筐体４００の歪みに起因する画像の品質の低下が生じない。
【００８４】
また、第二支持部５０４が水平方向に延び、第一支柱５００が正面側（図１４では右側）に倒れようとする力に対して、箱部４１０の上面となる側辺部４１２Ａが受ける構成となっている。よって、画像読取部２００が正面側に倒れようとしても支えられる。更に、画像読取部２００の正面側端部２００Ｄに加重をかけても、容易に第一支柱５００は倒れない。また、上述したように、側板４０２も歪みにくい。
【００８５】
更に、このように第一支柱５００は、側板４０２に強固に固定される構成となっているので、第一支柱５００と第二支柱６００とを架設する梁が必要ない。
【００８６】
また、第一支柱５００を側板４０２に強固に固定し、画像読取部２００の加重のほとんどを支えている。このため、第二支柱６００は、第一支柱５００ほど強固に固定しなくても良い。したがって、図６に示すように、第二支柱６００は第一支柱５００のように第二支持部５０４を備えていなくても問題は生じない。つまり、第二支柱６００は、任意の形状にできるので、設計の自由度が高い。
【００８７】
尚、本発明は上記実施の形態に限定されない。
【００８８】
例えば、上記実施形態では、第一接続部及び第二接続部は、ブロワーコネクタ（オス）８００及びブロワーコネクタ（メス）８５０であったが、これに限定されない。その他のコネクタであってもよいし、単に接点と接点とが当接して電気的に接続する構成であっても良い。
【００８９】
また、例えば、上記実施形態では、抜出防止手段（ワンタッチ接続機構）は、スナップフィット２５２と係合孔５６０とからなるスナップフィット機構であったが、これに限定されない。その他のワンタッチ接続機構であっても良いし、抜け出しが防止されれば、その他の機構や部材であっても良い。例えば、単純にビスで固定する方法であっても良い。なお、ビスで固定する場合、突出部２２０、２２２を開口５０６Ａ、６１０Ａに挿入後に、ビスを締め付ける作業が必要であるので、若干であるが、上記実施形態より組み立てが複雑になる。しかし、画像読取部２００が容易に着脱可能になるので、修理やメンテナンスの際に好適である。
【００９０】
また、例えば、上記実施形態の画像形成部１００の構成に限定されない。公知の電子写真方式を利用したその他の構成の画像形成部であっても良い。あるいは、電子写真方式以外の画像形成方式、例えば、ノズルからインク滴を吐出するインクジェット記録ヘッドで画像形成を行う公知のインクジェット記録方式を利用した画像形成部であっても良い。
【００９１】
また、第二支柱６００も第一支柱５００と同様の構成であっても良い。
【図面の簡単な説明】
【００９２】
【図１】本発明の実施形態に係るデジタル複写機を模式的に示す図である。
【図２】デジタル複写機の画像読取部の押さえ板が開いた状態を模式的に示す斜視図である。
【図３】デジタル複写機を正面から見た図である。
【図４】デジタル複写機を側面から見た図である。
【図５】デジタル複写機の画像読取部を回動させて開いた状態の側面図である。
【図６】デジタル複写機のフレーム構成を示す分解図である。
【図７】デジタル複写機のフレーム構成を示す図である。
【図８】（Ａ）は画像読取部が略水平状態の図であり、（Ｂ）は画像読取部を回動させて開いた状態図である。
【図９】第二支柱を示し、（Ａ）は二枚の板金を接合する前の状態を示し、（Ｂ）は二枚の板金の接合後を示し、（Ｃ）は（Ｂ）のＣ−Ｃ断面の断面図である。
【図１０】第一支柱の第一支持部、及び第二支柱の断面の大きさの違いを示す模式図である。
【図１１】デジタル複写機の画像読取部を回動させて開いた状態において、排紙トレイを開き、トナーカートリッジを交換する様子を模式的に示す図である。
【図１２】（Ａ）は画像読取部が取り付けられていない状態を示した図であり、（Ｂ）は（Ａ）の四角部分の拡大図である。
【図１３】定着器の開閉カバーを開いた状態を示す図である。
【図１４】デジタル複写機のフレーム構成を模式的に示す側面図である。
【図１５】筐体に筐体カバーを取り付けた状態の図である。
【図１６】図１５に第一支柱カバーを取りつけた状態の図である。
【図１７】画像読取部を取り付ける前の状態の図である。
【図１８】画像読取部を取り付けた状態の図である。
【図１９】（Ａ）は突出部を第一支柱に挿入前を示す図であり、（Ｂ）は突出部を第一支柱に挿入し固定された状態を示す図である。
【図２０】（Ａ）は、突出部を第一支柱に挿入中の状態を示す図であり、（Ｂ）は突出部を第一支柱に挿入し固定された状態を示す図である。
【符号の説明】
【００９３】
１０      画像形成装置
４０      排紙トレイ（画像形成部の上面）
１００      画像形成部
２００      画像読取部
２２０      突出部（凸部）
２２２      突出部（凸部）
２２４      ヒンジ
２２６      ヒンジ
２５２      スナップフィット（スナップフィット機構）
５６０      係合孔（スナップフィット機構）
３００      第一支柱部（支柱部）
３０２      第二支柱部（支柱部）
４００      筐体
４０２      側板（筐体の側面）
４１０      箱部（枠体）
５００      第一支柱（支持体）
５０２      第一支持部
５０４      第二支持部
５０６      第一箱部（挿入部）
５３０      電線
６１０      第一部屋部（挿入部）
８００      ブロワーコネクタ（オス）（第一接続部）
８０１      ピン穴
８０２      ピン（最も長いピン）
８０３      ピン穴
８０４      ピン（他のピン）
８５０      ブロワーコネクタ（メス）（第二接続部）
【図１】
2006229346.tif 000003
【図２】
2006229346.tif 000004
【図３】
2006229346.tif 000005
【図４】
2006229346.tif 000006
【図５】
2006229346.tif 000007
【図６】
2006229346.tif 000008
【図７】
2006229346.tif 000009
【図８】
2006229346.tif 000010
【図９】
2006229346.tif 000011
【図１０】
2006229346.tif 000012
【図１１】
2006229346.tif 000013
【図１２】
2006229346.tif 000014
【図１３】
2006229346.tif 000015
【図１４】
2006229346.tif 000016
【図１５】
2006229346.tif 000017
【図１６】
2006229346.tif 000018
【図１７】
2006229346.tif 000019
【図１８】
2006229346.tif 000020
【図１９】
2006229346.tif 000021
【図２０】
2006229346.tif 000022